(57)【要約】【課題】  角膜に流体を吹き付けている最中の角膜の断面画像を、効率よく取得することができる眼科装置を提供する。【解決手段】  ノズルを介して被検眼角膜に流体を吹き付ける流体吹付手段と、被検眼に投光する投光手段と、投光手段による角膜の反射光を受光する受光手段をもち，流体吹付手段による角膜の変形状態を検出する変形検出手段と、角膜の断面画像を取得する断面取得手段と、を備えた眼科装置において、断面取得手段は変形検出手段の検出結果に基づいて角膜の断面画像を取得する。【選択図】      図１
2014083351.tif 000002
【特許請求の範囲】
【請求項１】
ノズルを介して被検眼角膜に流体を吹き付ける流体吹付手段と、被検眼に投光する投光手段と、前記投光手段による角膜の反射光を受光する受光手段をもち，前記流体吹付手段による角膜の変形状態を検出する変形検出手段と、角膜の断面画像を取得する断面取得手段と、を備えた眼科装置において、
前記断面取得手段は前記変形検出手段の検出結果に基づいて角膜の断面画像を取得することを特徴とする眼科装置。
【請求項２】
前記変形検出手段の検出結果は前記受光手段の信号波形に基づくものであり、該信号波形の接線の傾きが，正から負，または負から正へと、該接線の傾きが略逆転する少なくとも１つの地点で、前記断面取得手段による角膜断面画像を取得することを特徴とする請求項１に記載の眼科装置。
【請求項３】
前記断面取得手段によって、前記流体吹付手段によって角膜に流体を吹き付けているときと吹き付けていないときの，少なくとも２つの角膜断面画像を取得することを特徴とする請求項１または請求項２に記載の眼科装置。
【請求項４】
前記変形検出手段による検出結果と、前記角膜断面画像と、を関連付けて記憶することを特徴とする請求項１乃至請求項３の何れか１項に記載の眼科装置。
【請求項５】
前記角膜断面画像を解析する解析手段を備え、少なくとも２つの角膜断面画像を解析して角膜の弾性情報を求めることを特徴とする請求項１乃至請求項４の何れか１項に記載の眼科装置。
【請求項６】
前記流体吹付手段と前記変形検出手段とから眼圧値を求める眼圧測定手段を備え、該眼圧測定手段で取得した眼圧値を前記弾性情報に基づいて補正することを特徴とする請求項５に記載の眼科装置。
【発明の詳細な説明】
【技術分野】
【０００１】
本発明は、被検眼の眼特性を測定する眼科装置に関する。
【背景技術】
【０００２】
被検眼の眼特性を測定する眼科装置において、被検眼の角膜厚を測定する測定光学系と、角膜厚とは異なる眼特性（例えば、眼圧）を測定する測定光学系と、を複合化させた眼科装置が知られている（特許文献１参照）。このような装置においては、角膜の剛性を観測するため、エアーを吹き付けている最中の角膜断面像を面撮像素子（ＣＣＤやＣＭＯＳなどの２次元センサ）で連続して撮影し、解析を行う眼科分析システムが知られている。また、角膜にエアーを吹き付けている最中の角膜の厚さをラインセンサ（１次元センサ）で測定し、眼圧値を補正する非接触眼圧計も知られている（特許文献２参照）。
【先行技術文献】
【特許文献】
【０００３】
【特許文献１】特開２０１２−５８３４号公報
【特許文献２】特開２０００−２１３号公報
【発明の概要】
【発明が解決しようとする課題】
【０００４】
しかし、特許文献１に記載のような眼科分析システムにおいては、連続撮影できる撮影手段、連続撮影した角膜断面画像を記憶するための大容量の記憶媒体、大量の断面画像を解析するための高性能な演算手段が必要である。また、断面画像を撮影するときに可視光を照射する場合は長びく照明が被検者にとって不快であった。
【０００５】
また、特許文献２に記載のような非接触眼圧計においては、エアーを吹付けることで光軸方向に位置変化する角膜を撮像するため深い被写界深度に対応した複雑かつ大きな光学系が必要となる。またラインセンサを用いた撮像では、流体を吹付けることで角膜は波打つように変形するため、角膜前面や角膜後面の反射信号が乱れ易く、精度よく角膜の厚を測定することが困難であった。更には、１次元センサの情報では変形した角膜の１つの地点の厚さ情報しか得られず角膜全体の変形度合いから弾性情報を求めることは出来ない。
【０００６】
本発明は、上記問題点を鑑み、角膜に流体を吹き付けている最中の角膜の断面画像を、効率よく取得することができる眼科装置を提供することを技術課題とする。
【課題を解決するための手段】
【０００７】
上記課題を解決するために、本発明は以下のような構成を備えることを特徴とする。
（１）ノズルを介して被検眼角膜に流体を吹き付ける流体吹付手段と、被検眼に投光する投光手段と、前記投光手段による角膜の反射光を受光する受光手段をもち，前記流体吹付手段による角膜の変形状態を検出する変形検出手段と、角膜の断面画像を取得する断面取得手段と、を備えた眼科装置において、前記断面取得手段は前記変形検出手段の検出結果に基づいて角膜の断面画像を取得することを特徴とする。
（２）（１）の眼科装置は、前記変形検出手段の検出結果は前記受光手段の信号波形に基づくものであり、該信号波形の接線の傾きが，正から負，または負から正へと、該接線の傾きが略逆転する少なくとも１つの地点で、前記断面取得手段による角膜断面画像を取得することを特徴とする。
（３）（１）または（２）の眼科装置は、前記断面取得手段によって、前記流体吹付手段によって角膜に流体を吹き付けているときと吹き付けていないときの，少なくとも２つの角膜断面画像を取得することを特徴とする。
（４）（１）乃至（３）の何れか１項に記載の眼科装置は、前記変形検出手段による検出結果と、前記角膜断面画像と、を関連付けて記憶することを特徴とする。
（５）（１）乃至（４）の何れか１項に記載の眼科装置は、前記角膜断面画像を解析する解析手段を備え、少なくとも２つの角膜断面画像を解析して角膜の弾性情報を求めることを特徴とする。
（６）（５）の眼科装置は、前記流体吹付手段と前記変形検出手段とから眼圧値を求める眼圧測定手段を備え、該眼圧測定手段で取得した眼圧値を前記弾性情報に基づいて補正することを特徴とする。
【発明の効果】
【０００８】
本発明によれば、角膜に流体を吹き付けている最中の角膜の断面画像を、効率よく取得することができる。
【発明を実施するための形態】
【０００９】
以下、本発明の実施形態について図面に基づいて説明する。図１は非接触式眼圧計の流体噴射機構の側方概略及び制御系の要部を示した図である。
【００１０】
空気圧縮用のシリンダ部１は眼圧計本体の水平線に対して傾斜して設けられている。ロータリソレノイド３に駆動エネルギである電荷（電流、電圧）が付与されると、アーム４、コネクティングロッド（ピストンロッド）５を介してピストン２をシリンダ部１に沿って上に押し上げる。ピストン２の上昇によりシリンダ部１に連通する空気圧縮室１１で圧縮された空気は、ノズル６から被検眼Ｅの角膜に向けて噴出される。また、ロータリソレノイド３には図示なきコイルバネが備えられており、付与される電荷がカットされるとコイルバネの下降方向への付勢力により上昇したピストン２を下降させて初期位置に戻す。
【００１１】
透明なガラス板７はノズル６を保持するとともに、角膜変形検出用の光、前眼部を正面方向より観察するための前眼部観察用の光、アライメント光を透過させる透過部材として用いられる。また、ガラス板７の内、被検眼側に配置されたガラス板７ａは、外部から内部光学系への異物の侵入を防止する役割を兼用し、ガラス板７ｂは空気圧縮室１１の側壁となっている。ノズル６の背面に設けられた透明なガラス板９は、空気圧縮室１１の後壁を構成するとともに、観察光やアライメント光を透過させる。ガラス板９の背後には、後述する観察、アライメントのための光学系８が配置される。圧力センサ１２は空気圧縮室１１の圧力を検出する。エア抜き穴１３によりピストン２に初速が付くまでの間の抵抗が減少され、圧力の立ち上がり時において時間にほぼ比例的な圧力変化を得ることができる。これらピストン２とシリンダ部１とノズル６によって流体吹付手段を形成する。
【００１２】
制御回路２０には、圧力センサ１２用の圧力検出処理回路２１、後述する角膜変形検出光学系の光検出器５６用の信号検出処理回路２２、作動距離検出の一次元位置検出素子５７用の信号検出処理回路２６、ＣＣＤカメラ３５用の信号検出処理回路２７、ロータリソレノイド３を駆動させるための駆動回路２３、角膜の変形信号や圧力値、角膜断面画像や撮影条件などの測定データを記憶するためのメモリ２４が接続されている。また、制御回路２０は、図２及び図３に示した光学系に設けられる各種光源（前眼部照明光源３０、ＬＥＤ４０、ＬＥＤ４５、ＬＥＤ５０、光源９１）、モニタ３６、二次元撮像素子９７、等と接続され、各種の制御を行う。
【００１３】
図２は非接触式眼圧計の上方視光学系要部図である。赤外照明光源３０により照明された被検眼像は、ビームスプリッタ３１、対物レンズ３２、ビームスプリッタ３３、撮像レンズ３７、及びフィルタ３４を介してＣＣＤカメラ３５に結像する。フィルタ３４は、光源３０及びアライメント用光源４０の光を透過し、後述する角膜変形検出用のＬＥＤ５０の光及び可視光に対して不透過の特性を持つ。ＣＣＤカメラ３５に結像した像はモニタ３６に表示される。
【００１４】
アライメント用の赤外ＬＥＤ４０を発し、投影レンズ４１を介して投影された赤外光はビームスプリッタ３１により反射され、被検眼に正面より投影される。赤外ＬＥＤ４０により角膜頂点に形成された角膜輝点は、ビームスプリッタ３１〜フィルタ３４を介してＣＣＤカメラ３５に結像し、上下左右方向のアライメント検出に利用される。
【００１５】
固視標投影用のＬＥＤ４５により照明された固視標４６の光は、後述するダイクロイックミラー９４を透過後、投影レンズ４７を通過した後、ビームスプリッタ３３によって反射されて被検眼Ｅに向かう。検者は被検眼に固視標４６を固視させた状態で測定を行う。なお、前述したＬＥＤ４５から対物レンズ３２までの光学部材は、固視標投影光学系４８を形成する。
【００１６】
角膜変形検出用の投光手段として、赤外ＬＥＤ５０を出射した光はコリメータレンズ５１により略平行光束とされて被検眼の角膜に投光される。角膜で反射した光は角膜変形検出用の受光手段として受光レンズ５２、前眼部照明光源３０及びアライメント用の赤外ＬＥＤ４０の光に対して不透過の特性を持つフィルタ５３を通過した後、ビームスプリッタ５４で反射し、ピンホール板５５を通過して光検出器５６に受光される。角膜変形検出用の光学系は、被検眼が所定の変形状態（偏平状態）のときに光検出器５６の受光量が最大になるように配置されている。受光レンズ５２から光検出器５６までで角膜変形検出用の受光手段を形成し、該受光手段と後述する制御回路２０との組み合わせによって流体吹付手段による角膜の変形状態を検出する変形検出手段を形成する。
【００１７】
また、この角膜変形検出光学系は作動距離検出光学系の一部を兼ねており、ＬＥＤ５０より投光され、角膜で反射した光はＬＥＤ５０の虚像である指標像を形成する。その指標像の光は、ガラス板受光レンズ５２、フィルタ５３、ビームスプリッタ５４を通過してＰＳＤやラインセンサ等の一次元位置検出素子５７に入射する。被検眼（角膜）が作動距離方向に移動すると、ＬＥＤ５０による指標像も一次元位置検出素子５７上を移動するため、制御回路２０は一次元位置検出素子５７からの出力信号に基づいて作動距離情報を得る。また、制御回路２０はこの一次元位置検出素子５７からの出力信号により、被検眼の瞬きを知り、ソレノイド３の駆動を制御する。角膜変形検出光学系と作動距離検出光学系とで眼圧測定光学系１０を形成する。
【００１８】
また、本実施形態には、被検眼の角膜断面像を撮影して被検眼の角膜厚等を測定するために前述した角膜変形検出用の受光手段とは少なくとも一部が異なる受光手段として角膜断面撮像光学系が設けられており、被検眼前眼部に向けて角膜断面撮影用の光をノズル６を介して投影する投影光学系９０ａと、投影光学系９０ａによって被検眼角膜に投影された反射光を受光して角膜断面像（角膜断面画像）を撮像する撮像光学系９０ｂ（図３参照）とに大別される。投影光学系９０ａは被検眼に向けてスリット光を投影するものであり、角膜断面撮影用の光源９１、集光レンズ９２、左右方向に長手方向を持つスリット板９３、ダイクロイックミラー９４、投影レンズ４７、ビームスプリッタ３３、対物レンズ３２、が配置されている。この場合、ダイクロイックミラー９４は、光源９１からの光を反射して固指標投影用のＬＥＤ４５からの光を透過する波長特性を有し、固視標投影光学系４８と投影光学系９０ａを同軸にする。また、スリット板９３は、被検眼前眼部と共役な位置（例えば、被検眼の角膜頂点付近）に配置される。また、スリット板９３としては、ガラス板の一部にスリット開口が形成され、スリット開口の周辺に光源９１からの光を遮光するコーティングが施されたものであってもよいし、光源９１からの光を遮光するコーティングが施された金属板にスリット開口が形成されたものであってもよい。また、光源９１に使用する光源としては、例えば、中心波長がλ＝４７０ｎｍであって、λ＝４６０〜４９０ｎｍの波長領域の光（青色光）を発する可視光源を用いることが考えられる。また、投影レンズ４７及び対物レンズ３２は、光源９１とノズル６との間に配置され、光源９１から発せられた光を被検眼前眼部上に集光させる集光光学系として用いられる。
【００１９】
図３は、角膜断面撮像用の撮像光学系９０ｂを示した概略光学図である。撮像光学系９０ｂは、投影光学系９０ａによる被検眼前眼部からの反射光を撮像素子９７に導く撮像レンズ９６、被検眼の角膜断面像を撮像する二次元撮像素子９７を備え、被検眼前眼部に投影されたスリット板９３による投影断面をシャインプルークの原理に基づいて撮影することにより角膜断面撮像（前眼部断面像）を撮影する構成となっている。すなわち、角膜断面像を撮像する撮像光学系として、投影光学系９０ａによる投影像の光断面、撮像レンズ９６の主平面及び二次元撮像素子９７の撮像面の延長面が１本の交線（一軸）で交わるような光学配置となっている。なお、撮像光学系９０ｂは、前述の眼圧測定光学系１０の下部に設けられており、鼻によって測定光がけられるのを回避できる構成となっている。また、撮像レンズ９６と二次元撮像素子９７とで角膜の断面取得手段を形成する。
【００２０】
図２に戻る。ここで、光源９１から出射された光束は、集光レンズ９２によって集光され、スリット９３を背後から照明する。このとき、スリット板９３のスリット開口を通過する光束が左右方向に長手方向を持つスリット光となる。スリット板９３により形成されたスリット光は、ダイクロイックミラー９４により固視標投影光学系４８と同軸にされた後、投影レンズ４７によって平行光束とされ、ビームスプリッタ３３にて反射される。そして、対物レンズ３２によって収束された後、ガラス板７ｂを透過した光束のうち、ガラス板７ａに到達した光束はガラス板７ａ（カットフィルタ）によって遮断され、ノズル６の外面に到達した光はノズル６に形成された黒塗りコーティングによりノズル６によって吸収される。また、ノズル６の内側の中空部分を通過した光束は、被検眼の前眼部に集光される。これにより、ノズル６の内部を通過したスリット光によって、被検眼の前眼部にスリット断面像が形成される。
【００２１】
以上のような構成を備える装置において、その動作をフローチャート（図５）を用いて説明する。
【００２２】
検者は被検眼Ｅを所定の位置に配置させ、モニタ３６上に表示されるアライメント情報に基づいて図示なきジョイスティックを操作してアライメント調整を行う。上下左右方向のアライメント調整は、ＬＥＤ４０により形成される角膜輝点をモニタ３６上に表示される図示なきレチクルと所定の関係になるようにする。作動距離方向のアライメント調整は、一次元位置検出素子５７から得られる作動距離情報に基づいて表示される距離指標に従って行う。なお、このアライメント調整の詳細については、本出願人による特開平７−２３９０７号等を参照されたい。また、アライメント指標像の検出情報に基づいて測定部を移動して、自動的にアライメントすることもできる。
【００２３】
制御回路２０は、一次元位置検出素子５７及びＣＣＤカメラ３５から得られるアライメント情報に基づいてアライメント完了が検出されると、測定開始のトリガ信号を自動的に発して（あるいは、検者によるトリガ信号の入力により）、測定を開始する。
【００２４】
測定開始のトリガ信号が発せられると、制御回路２０は、光源９１を点灯させて撮像素子９７により角膜断面撮像を撮影してメモリ２４に記憶する。この時点ではノズルを介して被検眼角膜に流体を吹き付けない状態で撮影を行うため、歪みがない角膜断面像を取得できる（図６（ａ）参照）。後述する光検出器５６の受光量に基づく変形信号Ｑｎの変化波形において山なりの変動のない地点（ｑ０）での撮影となる。なお、メモリ２４には角膜断面像と撮影条件（例えば地点ｑ０を識別できる符号）を関連付けて記憶する。角膜断面撮像を撮影したときの圧力センサ１２の圧力値、光検出器５６の出力値、を撮影条件として記憶してもよい。撮影条件は、メモリ２４に複数記憶した角膜断面撮像を用いて解析するときや、装置から角膜断面撮像をデータとして出力するときに、付加情報として利用できる。
【００２５】
また、本実施形態ではトリガ信号の検知判定結果に連動する形で角膜断面像を撮影することとした。しかし、予め光検出器５６の信号状態を監視し所定の信号レベル以下であるか否か、または信号レベルが所定時間安定しているか否かを判定した後に角膜断面撮像の撮影を開始してもよい。これにより、被検眼Ｅの静止状態（角膜部に流体を吹き付けない状態）にあることを確認して撮影を行うことができ、安定した角膜断面撮像を取得することができる。
【００２６】
なお、後述するソレノイド３に対する電流供給を開始しても、直ぐには被検眼の前眼部に吹付けた流体（圧縮空気）は達しない。角膜断面像をメモリ２４に記憶する前であっても、撮影を開始した後に予め実験等により求めておいた所定のタイミング（例えば、約１／６０ｓ）が経過したらソレノイド３に対する電流供給を開始してもよい。これにより、静止状態の角膜断面像の撮影後に、眼圧測定用のエアーを素早く被検眼角膜に吹き付けることができる。光源９１の点灯又は出射光量の増加による眩しさから被検眼の固視状態が不安定になる前に、圧縮空気吹付け中の角膜断面像の取得を含めた眼圧測定を完了でき、測定をスムーズに行うことができる。
【００２７】
角膜断面像の取得に続けて、ロータリソレノイド３に対して電流供給を開始する。このとき、制御回路２０は駆動回路２３を介してロータリソレノイド３に動作可能な駆動エネルギとしての電荷を付与してこれを駆動させる。ロータリソレノイド３に電荷を付与するとピストン２が上昇し、ピストン２により空気圧縮室１１の空気が圧縮され、圧縮空気がノズル６から被検眼Ｅの角膜に向けて吹付けられる。被検眼Ｅの角膜は吹き付けられた圧縮空気によって徐々に変形する。
【００２８】
ここで、図４は圧力センサ１２による圧力信号Ｐｎ及び光検出器５６の受光量に基づく変形信号Ｑｎ（角膜変形検出用の受光手段の信号）の変化を時系列的に示した図である。ピストン２が上昇を開始すると、空気圧縮室１１内の空気が圧縮され、圧力信号Ｐｎはピストン２の上昇に伴いほぼリニアに上昇する。ノズル６により被検眼Ｅに噴射（吐出）される圧縮空気の圧力も同様に上昇しながら吹き付けられる。圧縮空気による角膜変形が開始すると、光検出器５６の受光量が著しく大きくなり始めるため、変形信号Ｑｎは急激に増加し始める。
【００２９】
制御回路２０は変形信号Ｑｎが急激に増加する立ち上がり点ｑ１での圧力Ｐ１を検出する。制御回路２０は、圧力センサ１２からの信号により空気圧縮室１１の圧力を圧力値Ｐ１から予め設定された圧力上昇値ΔＰ分変化した圧力値Ｐ２が得られるとロータリソレノイド４３への電荷供給を停止する（加圧動作を停止する）。なお、ΔＰは角膜変形検出信号がピークとなる地点ｑ２，ｑ３が検出されるように、眼圧変動要因を考慮した裕度を持った値として決定される。
【００３０】
ピストン２はロータリソレノイド３への電荷供給を停止しても慣性力で上昇するが、コイルバネによる下降方向への付勢力及び重力が働くため、ピストン４２の速度は減衰されて一旦停止し、その後下降する。これにより、空気圧縮室１１の圧力も圧力値Ｐ２よりやや高い圧力まで上昇した後、下がるようになる。変形信号Ｑｎはピストン２が慣性で上昇を続けている間にピークとなる地点ｑ２を迎え、その後一旦減少し、再びピークとなる地点ｑ３を迎えた後、減少していく。２つに分離したピーク地点ｑ２・ｑ４は、角膜が圧平（所定形状に変形）されたことを示し（図６（ｂ）参照）、ピーク地点ｑ２・ｑ４の間の谷状のピーク地点ｑ３は、流体（圧縮空気）の吹付け中に角膜が最も凹んだ状態を示す（図６（ｃ）参照）。なお、角膜の圧平不良か否かは、次のような要素を含めて判定される。ピーク地点ｑ２の変形信号Ｑｎが所定レベル以上あり、圧力信号Ｐｎが最大値に達したときの変形信号Ｑｎのレベルがピーク地点ｑ２に対して十分に分離し、さらに圧力信号Ｐｎの最大値に対してピーク地点ｑ２のときの圧力信号値が所定レベル以下であるときに、角膜の圧平（所定変形）が検出されていると判定される（例えば、特開２００７−２０２７３５号公報を参考にされたい）。
【００３１】
制御回路２０は変形信号Ｑｎが最初のピーク地点ｑ２に達したときに、光源９１を点灯させて撮像素子９７により角膜断面撮像を撮影してメモリ２４に記憶する。メモリ２４には角膜断面撮像と撮影条件（地点ｑ２）を関連付けた状態で記憶する。前述したように変形信号Ｑｎから角膜が圧平状態となる地点で撮影を行うため、後述する眼圧値を求める際の角膜断面像（図６（ｂ）参照）を取得することができる。
【００３２】
なお、ピーク地点は制御回路２０が変形信号Ｑｎの経時変化から求めるものであり、例えば、経時的に連続する２つの測定値（２つの変形信号Ｑｎの値）の傾きから導く。すなわち、光検出器５６の信号値を並べて生成した変形信号Ｑｎの波形の接線の傾きと同義となる。該傾きが正から負へと変化する地点が変形信号Ｑｎの波形における山状のピーク（地点ｑ２，ｑ４）となり、該傾きが負から正へと変化する地点が変形信号Ｑｎの波形における谷状のピーク（地点ｑ３）となる。不安定なデータによるピークの誤検出を避けるため、傾きを求める前に近傍データで平均化してもよい。また、傾き値の遷移から変形信号Ｑｎのピーク位置を推測し、該ピーク位置または該ピーク位置の近傍で角膜断面像が得られるように角膜断面像の取得に関わる投光手段と断面取得手段を前もって制御開始してもよい。
【００３３】
圧縮空気を吹き付けていないとき（地点ｑ０）と、圧縮空気を吹き付けているとき（地点ｑ２）の、少なくとも２種類の角膜断面像の取得が完了すると、制御回路２０は、ピーク点ｑ２が得られたときの圧力又は時間Ｔに基づいて眼圧値を算出する（例えば、特開２００７−２０２７３５号公報を参考にされたい）。
【００３４】
続けて制御回路２０は、メモリ２４に記憶している角膜断面像の解析を行う。変形信号Ｑｎが地点ｑ０のときの角膜断面像（図６（ａ）参照）は角膜厚Ｄ1を、変形信号Ｑｎが地点ｑ２のときの角膜断面像（図６（ａ）参照）は角膜厚Ｄ２および圧平長Ｌ１を、撮影画像（角膜断面像）を画像解析することで求めメモリ２４に記憶する。ここで、検出する角膜厚Ｄ１（Ｄ２）は１箇所（撮影光軸Ｌ１上）に限らない。画像解析による自動設定、または検者が手動で指定することで撮影した角膜断面像の複数箇所の角膜厚を検出してもよい。また、角膜断面像から角膜前面（図６（ａ）のａ参照）および角膜後面（図６（ａ）のｂ参照）の曲率半径を画像解析で求めてもよい。また、後述するように角膜が圧平した状態よりも更に変形した角膜断面像（図６（ｃ）参照）を取得し解析する場合には、角膜厚Ｄ３と共に変形長Ｌ２、加えて凹み量Ｈを画像解析で求めてもよい。二次元画像を解析することで角膜の弾性情報を精度よく求めることができる。
【００３５】
なお、角膜の複数箇所（少なくとも２箇所以上）の厚さを撮影画像を画像解析することで求め角膜の弾性情報を算出する際、該解析に用いられる情報としては、例えば角膜の厚さの分布や，角膜の厚さの変化分布（差分分布）が考えられる。また、得られる弾性情報は角膜全体の弾性や、弾性の分布が考えられる。ここで、弾性情報を求めるための角膜の厚さの解析は、少なくとも２箇所（例えば角膜頂点と周辺）で行えばよい。なお、角膜の厚さを解析する箇所が多ければ多いほど、詳細な角膜の弾性情報を求めることができる。
【００３６】
このように角膜の複数箇所の厚さを解析することで、弾性の分布を含めた角膜全体の弾性情報を求めることができる。これによって、角膜の局所の厚さの変化だけに左右されず、安定した角膜の弾性情報を算出することをができる。後述する非接触眼圧計においては角膜全体を変形させて眼圧値を求める。よって角膜の複数箇所の厚さから求めた角膜の弾性情報で眼圧値を補正することは特に好適である。
【００３７】
制御回路２０は角膜厚Ｄ１（角膜変形前）と角膜厚Ｄ２（角膜変形中）の厚さの変化量と、および／または角膜変形中の圧平長Ｌ１とから角膜の弾性情報を求めメモリ２４に記憶する（例えば、特開２０１２−５８３４号公報を参考にされたい）。制御回路２０は、前述で求めた眼圧値を角膜断面像から求めた角膜弾性情報で補正を行いメモリ２４に記憶し、モニタ３６に補正無しの眼圧値と補正有りの眼圧値を表示する。
【００３８】
このように被検眼に流体を吹き付けているときの角膜断面像を角膜変形信号に基づいて撮影することで、撮影手段の連続撮影性能を選ばず、撮影情報の演算部の処理負担を低減でき、また長時間の可視光による被検者の不快感も低減できる。よって被検眼の角膜断面情報を効率よく取得できる。
【００３９】
なお、本実施形態では角膜断面像の取得を流体吹付け前と変形信号Ｑｎに基づいた最初の圧平状態（地点ｑ２）としたがこれに限らない。例えば、変形信号に基づいて流体吹付け中に角膜が最も凹む谷状のピーク（地点ｑ３）や、凹んだ角膜が戻る際の圧平状態（地点ｑ４）、もしくは変形した角膜が元に戻った状態（地点ｑ５）の角膜断面像を取得してもよい。これら取得する地点を検者が図示なき入力手段によって予め定めておき（１箇所または複数箇所）、制御部２０は変形信号Ｑｎが該所定の地点（状態）になったときに角膜断面像を取得すればよい。
【００４０】
更には、変形信号Ｑｎの波形において接線の傾きが大きく変化しない地点（例えばｑ１とｑ２の中間地点）、すなわち、制御部２０は変形信号Ｑｎを監視し、該接線の傾きが大きく変化する変化点（ｑ１〜ｑ５）から所定時間が経過したとき、または該変化点から変形信号Ｑｎが所定量変化したとき、または変形信号Ｑｎの経時変化幅（該接線の傾き量の変化）が所定量になったときに角膜断面像を取得してもよい。該所定量および該所定時間はシミュレーションや実験等により定めることができる。また、検者が図示なき入力手段によって撮影する地点（１箇所または複数箇所）を予め定めておいてもよい。例えば、角膜変形信号の代表波形（図４のＱｎ）をモニタ３６に表示し、検者が該代表波形において角膜断面像を所得する地点を入力手段で指定してもよい。このようにして、角膜の変形信号Ｑｎに基づいた任意の地点（タイミング）の角膜断面像を取得することができる。
【００４１】
また、変形信号Ｑｎに基づいて角膜断面像の取得を行うことで、角膜が変形する以前や、変形した角膜が戻った以降の角膜変形状態としては重複する不要な角膜断面像の撮影を行うことがない。この結果、患者が角膜断面像を取得するときに感じる不快な眩しさを低減することができ、撮影枚数が減ることでメモリ２４の記憶容量を低減でき、角膜弾性情報の算出も速やかに行えるようになる。
【００４２】
なお、本実施形態の構成は、眼圧測定光学系１０の下部に撮像光学系９０ｂを設ける構成としたが、眼圧測定光学系の左右それぞれに撮像光学系９０ｂを設けるような構成であってもよい。この場合、ノズル６によって撮影光束がけられない位置に撮像光学系９０ｂを配置する必要がある。また、本実施形態ではシャインプルークの原理に基づいて角膜断面情報を取得するものとしたがこれに限らない。変形した角膜の断面画像を取得できる手段であればよい。
【００４３】
また、本実施形態は取得した角膜の断面情報によって眼圧を補正する非接触式眼圧計として記したが、本発明はこれに限るものではない。例えば、角膜の弾性状態を検査する眼科装置にも適用できる。
【図面の簡単な説明】
【００４４】
【図１】本実施形態に係る装置が持つ流体噴射機構の側方概略及び制御系の要部を示した図である。
【図２】本実施形態に係る装置の上方視光学系要部図である。
【図３】角膜断面撮像用の撮像光学系の構成について示す概略光学図である。
【図４】ピストン駆動時におけるシリンダ内の圧力、変形検出用光検出器の受光量の変化を示す時系列図である。
【図５】本実施形態の動作を示すフローチャートである。
【図６】角膜断面撮像用の撮像光学系が持つ撮像素子によって撮影された角膜断面像を示す。
【符号の説明】
【００４５】
１  シリンダ部
２  ピストン
３  ソレノイド
６  ノズル
７ａ、７ｂ  ガラス板
２０  制御回路
３１  ビームスプリッタ
３２  対物レンズ
４１  投影レンズ
４７  投影レンズ
５０  ＬＥＤ
５１  コリメータレンズ
５２  受光レンズ
５３  フィルタ
５４  ビームスプリッタ
５５  ピンホール
５６  光検出器
５７  一次元位置検出素子
９０ａ  投影光学系
９０ｂ  撮像光学系
９１  前眼部断面撮影用の光源
９６  撮像レンズ
９７  二次元撮像素子
【図１】
2014083351.tif 000003
【図２】
2014083351.tif 000004
【図３】
2014083351.tif 000005
【図４】
2014083351.tif 000006
【図５】
2014083351.tif 000007
【図６】
2014083351.tif 000008